(57)【要約】【課題】本発明は複数の液種を供給可能な燃料供給機の場合でも、選択釦の操作を迷うことなく操作することができることを課題とする。【解決手段】設定器２６は、顧客（操作者）が静電気除去シート６２に触れると、静電気除去ランプ５２を消灯させるとともに液種選択釦６４〜６６を全て間欠的に点灯させる。次に液種選択釦６４〜６６の何れかがオンに操作されて液種設定が行われると、液種選択釦６４〜６６のうち選択されたものだけ点灯させると共に、満タン選択釦６８、プリセット給液量設定釦７０〜７３、プリセット給液金額設定釦７６〜７９を間欠的に点灯させる。満タン選択釦６８、プリセット給液量設定釦７０〜７３、プリセット給液金額設定釦７６〜７９の何れかがオンに操作されると、当該オン操作された釦を点灯状態に切り替えると共に、スピーカ６０から「ノズルを給液口に入れて下さい」といったアナウンスを行う。【選択図】図３
2006131308.tif 000002
【特許請求の範囲】
【請求項１】
被燃料供給体に燃料を供給するための燃料供給部を当該燃料の種類毎に有する燃料供給機と、
前記燃料供給機の操作案内を報知するための報知手段と、
前記燃料供給機を用いて供給すべき燃料の種類または給液量を選択するための選択釦と、
前記燃料供給機を用いての給液前作業における操作案内を前記報知手段により報知する報知制御手段と、を有し、
前記選択釦により選択された種類の燃料を供給可能とする燃料供給装置において、
前記報知手段は、
点灯表示による前記選択釦の操作案内を視覚的に報知するランプを有し、
前記報知制御手段は、
前記ランプの点灯表示による操作案内を前記選択釦の操作に応じて適宜変更することを特徴とする燃料供給装置。
【請求項２】
被燃料供給体に燃料を供給するための燃料供給部を当該燃料の種類毎に有する燃料供給機と、
前記燃料供給機の操作案内を報知するための報知手段と、
前記燃料供給機を用いて供給すべき燃料の種類を選択可能とすべく、当該燃料の種類毎に設けられた液種選択釦と、
前記燃料供給機を用いての給液前作業における操作案内を前記報知手段より報知する報知制御手段と、を有し、
前記液種選択釦により選択された種類の燃料を供給可能とする燃料供給装置において、
前記報知手段は、
点灯表示による前記選択釦の操作案内を視覚的に報知する液種ランプを有し、
前記報知制御手段は、
前記液種選択釦が操作されていない状態においては前記液種選択釦の近傍に配置された前記液種ランプを全て点灯させ、前記液種選択釦の何れかが操作されて燃料の種類が選択された場合には、当該液種に対応する液種ランプのみ点灯させることを特徴とする燃料供給装置。
【請求項３】
前記報知制御手段は、
前記液種選択釦が操作されていない状態においては前記液種選択釦の近傍に配置された前記液種ランプを全て間欠的に点灯させ、前記燃料種別選択釦の何れかが操作されて燃料の種類が選択された場合には、当該液種に対応する液種ランプのみ点灯させると共に、選択されなかった他の液種に対応する液種ランプを消灯させることを特徴とする請求項２に記載の燃料供給装置。
【請求項４】
被燃料供給体に燃料を供給するための燃料供給部を当該燃料の種類毎に有する燃料供給機と、
前記燃料供給機の操作案内を報知するための報知手段と、
前記燃料供給機を用いて供給すべき燃料の供給量を選択可能とすべく、当該燃料の給液量毎に設けられた給液量選択釦と、
前記燃料供給機を用いての給液前作業における操作案内を前記報知手段より報知する報知制御手段と、を有し、
前記給液量選択釦により選択された給液量を上限とした燃料の供給を可能とする燃料供給装置において、
前記報知手段は、
点灯表示による前記給液量選択釦の操作案内を視覚的に報知する給液量ランプを有し、
前記報知制御手段は、
前記給液量選択釦が操作されていない状態においては前記給液量選択釦の近傍に配置された前記給液量ランプを全て点灯させ、前記給液量選択釦の何れかが操作されて燃料の給液量が選択された場合には、当該給液量に対応する給液量ランプのみ点灯させることを特徴とする燃料供給装置。
【請求項５】
前記報知制御手段は、
前記給液量選択釦が操作されていない状態においては前記給液量選択釦の近傍に配置された前記給液量ランプを全て間欠的に点灯させ、前記給液量選択釦の何れかが操作されて燃料の給液量が選択された場合には、当該給液量に対応する給液量ランプのみ点灯させると共に、選択されなかった他の給液量に対応する給液量ランプを消灯させることを特徴とする請求項４に記載の燃料供給装置。
【請求項６】
被燃料供給体に燃料を供給するための燃料供給部を当該燃料の種類毎に有する燃料供給機と、
前記燃料供給機の操作案内を報知するための報知手段と、
前記燃料供給機を用いて供給すべき燃料の種類を選択可能とすべく、当該燃料の種類毎に設けられた液種選択釦と、
前記燃料供給機を用いて供給すべき燃料の供給量を選択可能とすべく、当該燃料の給液量毎に設けられた給液量選択釦と、
前記燃料供給機を用いての給液前作業における操作案内を前記報知手段より報知する報知制御手段と、を有し、
前記液種選択釦により選択された種類の燃料を前記給液量選択釦により選択された給液量を上限として供給可能とする燃料供給装置において、
前記報知手段は、
前記液種選択釦に対応して設けられた液種ランプと、前記給液量選択釦に対応して設けられた給液量ランプとを有し、
前記報知制御手段は、
前記液種選択釦が操作されていない状態においては前記液種選択釦の近傍に配置された前記液種ランプを全て点灯させ、前記液種選択釦の何れかが操作されて燃料の種類が選択された場合には、当該液種に対応する液種ランプのみ点灯させ、前記給液量選択釦が操作されていない状態においては前記給液量選択釦の近傍に配置された前記給液量ランプを全て点灯させ、前記給液量選択釦の何れかが操作されて燃料の給液量が選択された場合には、当該給液量に対応する給液量ランプのみ点灯させることを特徴とする燃料供給装置。
【請求項７】
被燃料供給体に燃料を供給するための燃料供給部を当該燃料の種類毎に有する燃料供給機と、
前記燃料供給機の操作案内を報知するための報知手段と、
前記燃料供給機を用いて供給すべき燃料の種類を選択可能とすべく、当該燃料の種類毎に設けられた液種選択釦と、
前記燃料供給機を用いて供給すべき燃料の供給量を選択可能とすべく、当該燃料の給液量毎に設けられた給液量選択釦と、
前記燃料供給機を用いての給液前作業における操作案内を前記報知手段より報知する報知制御手段と、を有し、
前記液種選択釦により選択された種類の燃料を前記給液量選択釦により選択された給液量を上限として供給可能とする燃料供給装置において、
前記報知手段は、
前記液種選択釦に対応して設けられた液種ランプと、前記給液量選択釦に対応して設けられた給液量ランプとを有し、
前記報知制御手段は、
前記液種選択釦が操作されていない状態においては前記液種選択釦の近傍に配置された前記液種ランプを全て間欠的に点灯させ、前記燃料種別選択釦の何れかが操作されて燃料の種類が選択された場合には、当該液種に対応する液種ランプのみ点灯させると共に、選択されなかった他の液種に対応する液種ランプを消灯させる手段と、
前記給液量選択釦が操作されていない状態においては前記給液量選択釦の近傍に配置された前記給液量ランプを全て間欠的に点灯させ、前記給液量選択釦の何れかが操作されて燃料の給液量が選択された場合には、当該給液量に対応する給液量ランプのみ点灯させると共に、選択されなかった他の給液量に対応する給液量ランプを消灯させる手段とを有することを特徴とする燃料供給装置。
【発明の詳細な説明】
【技術分野】
【０００１】
本発明は燃料供給装置に係り、特にセルフサービス方式の計量機を用いて車両の燃料タンクに燃料を供給するよう構成した燃料供給装置に関する。
【背景技術】
【０００２】
例えば、ガソリンや軽油等の油液を車両の燃料タンクに供給する燃料供給装置を例に挙げて以下説明する。
【０００３】
例えば、セルフサービス方式の燃料供給装置は、運転者自身が給液作業の設定及び給液作業を行うようになっている。
【０００４】
この種のセルフサービス方式の燃料供給装置は、所望の液種を入力し、所望の給液量または給液金額を入力することで、給液許可待ち状態になる。そして、事務所側から係員が給液許可信号を出力させると、当該燃料供給装置のポンプが起動して給液が可能になり、給液が終了して給液ノズル（燃料供給部）がノズル掛け（保持部）に戻されると、ポンプが停止して伝票が発行される。
【０００５】
また、この種の燃料供給装置においては、給液操作を行う操作者に操作手順を音声で報知するための音声案内手段（報知器）が設けられており、操作者は音声案内手段により報知された操作手順の指示にしたがって給液のための設定操作を行う（例えば、特許文献１参照）。この設定操作に対応する入力方法では、例えば、給液すべき油種の選択操作、給液する供給量（満タンまたはプリセット値）、給液可能な金額などを複数の選択釦の中から希望する一の選択釦を操作して任意の給液条件を順番に設定することになる。
【特許文献１】特開２００２−２５５２９４号公報
【発明の開示】
【発明が解決しようとする課題】
【０００６】
しかしながら、上記燃料供給装置では、複数の液種を選択したり、あるいは給液量を選択する操作が必要になるが、複数の液種選択釦及び複数の給液量選択釦を同じ操作盤に配置した場合には、選択釦数が増大して、操作者がどの釦操作をどの順番で行なえば良いのか迷ってしまい、全ての操作が終了するまでにかなりの時間を要するという問題があった。
【０００７】
そこで、本発明は上記事情に鑑み、上記課題を解決した燃料供給装置を提供することを目的とする。
【課題を解決するための手段】
【０００８】
上記課題を解決するため、本発明は以下のような手段を有する。
【０００９】
本発明は、被燃料供給体に燃料を供給するための燃料供給部を当該燃料の種類毎に有する燃料供給機と、前記燃料供給機の操作案内を報知するための報知手段と、前記燃料供給機を用いて供給すべき燃料の種類または給液量を選択するための選択釦と、前記燃料供給機を用いての給液前作業における操作案内を前記報知手段により報知する報知制御手段と、を有し、前記選択釦により選択された種類の燃料を供給可能とする燃料供給装置において、前記報知手段は、点灯表示による前記選択釦の操作案内を視覚的に報知するランプを有し、前記報知制御手段は、前記ランプの点灯表示による操作案内を前記選択釦の操作に応じて適宜変更することを特徴とする。
【００１０】
また、本発明は、被燃料供給体に燃料を供給するための燃料供給部を当該燃料の種類毎に有する燃料供給機と、前記燃料供給機の操作案内を報知するための報知手段と、前記燃料供給機を用いて供給すべき燃料の種類を選択可能とすべく、当該燃料の種類毎に設けられた液種選択釦と、前記燃料供給機を用いての給液前作業における操作案内を前記報知手段より報知する報知制御手段と、を有し、前記液種選択釦により選択された種類の燃料を供給可能とする燃料供給装置において、前記報知手段は、点灯表示による前記選択釦の操作案内を視覚的に報知する液種ランプを有し、前記報知制御手段は、前記液種選択釦が操作されていない状態においては前記液種選択釦の近傍に配置された前記液種ランプを全て点灯させ、前記液種選択釦の何れかが操作されて燃料の種類が選択された場合には、当該液種に対応する液種ランプのみ点灯させることを特徴とする。
【００１１】
また、本発明は、前記報知制御手段は、前記液種選択釦が操作されていない状態においては前記液種選択釦の近傍に配置された前記液種ランプを全て間欠的に点灯させ、前記燃料種別選択釦の何れかが操作されて燃料の種類が選択された場合には、当該液種に対応する液種ランプのみ点灯させると共に、選択されなかった他の液種に対応する液種ランプを消灯させることを特徴とする。
【００１２】
また、本発明は、被燃料供給体に燃料を供給するための燃料供給部を当該燃料の種類毎に有する燃料供給機と、前記燃料供給機の操作案内を報知するための報知手段と、前記燃料供給機を用いて供給すべき燃料の供給量を選択可能とすべく、当該燃料の給液量毎に設けられた給液量選択釦と、前記燃料供給機を用いての給液前作業における操作案内を前記報知手段より報知する報知制御手段と、を有し、前記給液量選択釦により選択された給液量を上限とした燃料の供給を可能とする燃料供給装置において、前記報知手段は、点灯表示による前記給液量選択釦の操作案内を視覚的に報知する給液量ランプを有し、前記報知制御手段は、前記給液量選択釦が操作されていない状態においては前記給液量選択釦の近傍に配置された前記給液量ランプを全て点灯させ、前記給液量選択釦の何れかが操作されて燃料の給液量が選択された場合には、当該給液量に対応する給液量ランプのみ点灯させることを特徴とする。
【００１３】
また、本発明は、前記報知制御手段は、前記給液量選択釦が操作されていない状態においては前記給液量選択釦の近傍に配置された前記給液量ランプを全て間欠的に点灯させ、前記給液量選択釦の何れかが操作されて燃料の給液量が選択された場合には、当該給液量に対応する給液量ランプのみ点灯させると共に、選択されなかった他の給液量に対応する給液量ランプを消灯させることを特徴とする。
【００１４】
また、本発明は、被燃料供給体に燃料を供給するための燃料供給部を当該燃料の種類毎に有する燃料供給機と、前記燃料供給機の操作案内を報知するための報知手段と、前記燃料供給機を用いて供給すべき燃料の種類を選択可能とすべく、当該燃料の種類毎に設けられた液種選択釦と、前記燃料供給機を用いて供給すべき燃料の供給量を選択可能とすべく、当該燃料の給液量毎に設けられた給液量選択釦と、前記燃料供給機を用いての給液前作業における操作案内を前記報知手段より報知する報知制御手段と、を有し、前記液種選択釦により選択された種類の燃料を前記給液量選択釦により選択された給液量を上限として供給可能とする燃料供給装置において、前記報知手段は、前記液種選択釦に対応して設けられた液種ランプと、前記給液量選択釦に対応して設けられた給液量ランプとを有し、前記報知制御手段は、前記液種選択釦が操作されていない状態においては前記液種選択釦の近傍に配置された前記液種ランプを全て点灯させ、前記液種選択釦の何れかが操作されて燃料の種類が選択された場合には、当該液種に対応する液種ランプのみ点灯させ、前記給液量選択釦が操作されていない状態においては前記給液量選択釦の近傍に配置された前記給液量ランプを全て点灯させ、前記給液量選択釦の何れかが操作されて燃料の給液量が選択された場合には、当該給液量に対応する給液量ランプのみ点灯させることを特徴とする。
【００１５】
また、本発明は、被燃料供給体に燃料を供給するための燃料供給部を当該燃料の種類毎に有する燃料供給機と、前記燃料供給機の操作案内を報知するための報知手段と、前記燃料供給機を用いて供給すべき燃料の種類を選択可能とすべく、当該燃料の種類毎に設けられた液種選択釦と、前記燃料供給機を用いて供給すべき燃料の供給量を選択可能とすべく、当該燃料の給液量毎に設けられた給液量選択釦と、前記燃料供給機を用いての給液前作業における操作案内を前記報知手段より報知する報知制御手段と、を有し、前記液種選択釦により選択された種類の燃料を前記給液量選択釦により選択された給液量を上限として供給可能とする燃料供給装置において、前記報知手段は、前記液種選択釦に対応して設けられた液種ランプと、前記給液量選択釦に対応して設けられた給液量ランプとを有し、前記報知制御手段は、前記液種選択釦が操作されていない状態においては前記液種選択釦の近傍に配置された前記液種ランプを全て間欠的に点灯させ、前記燃料種別選択釦の何れかが操作されて燃料の種類が選択された場合には、当該液種に対応する液種ランプのみ点灯させると共に、選択されなかった他の液種に対応する液種ランプを消灯させる手段と、前記給液量選択釦が操作されていない状態においては前記給液量選択釦の近傍に配置された前記給液量ランプを全て間欠的に点灯させ、前記給液量選択釦の何れかが操作されて燃料の給液量が選択された場合には、当該給液量に対応する給液量ランプのみ点灯させると共に、選択されなかった他の給液量に対応する給液量ランプを消灯させる手段とを有することを特徴とする。
【発明の効果】
【００１６】
本発明によれば、ランプの点灯表示による操作案内を選択釦の操作に応じて適宜変更することにより、複数の選択釦のうちどの選択釦を操作すれば良いのかを視覚的に報知することが可能になり、複数の液種を供給可能な燃料供給機の場合でも、選択釦の操作を迷うことなく操作することができるので、燃料供給開始までの操作時間を短縮することが可能になる。
【００１７】
また、液種選択釦が操作されていない状態においては液種選択釦の近傍に配置された液種ランプを全て点灯させ、液種選択釦の何れかが操作されて燃料の種類が選択された場合には、当該液種に対応する液種ランプのみ点灯させるため、複数の液種を供給可能な燃料供給機の場合でも、液種選択釦の操作を迷うことなく操作することができるので、燃料供給開始までの操作時間を短縮することが可能になる。
【００１８】
また、給液量選択釦が操作されていない状態においては給液量選択釦の近傍に配置された給液量ランプを全て点灯させ、給液量選択釦の何れかが操作されて燃料の給液量が選択された場合には、当該給液量に対応する給液量ランプのみ点灯させるため、複数の給液量を選択可能な燃料供給機の場合でも、給液量選択釦の操作を迷うことなく操作することができるので、燃料供給開始までの操作時間を短縮することが可能になる。
【発明を実施するための最良の形態】
【００１９】
以下、図面を参照して本発明を実施するための最良の形態について説明する。
【実施例１】
【００２０】
図１は本発明になる燃料供給装置が適用された燃料供給システムの一実施例の構成図である。図１に示されるように、燃料供給システム１０は、給液エリア１２に設置された燃料供給装置１６と、事務所１８内に設置された管理コンピュータ２０とを有する。管理コンピュータ２０は、給液所に設置された各機器を管理しており、燃料供給装置１６から給液要求信号が出力されると、係員が当該燃料供給装置１６の周囲の状態が異常ないことを確認して給液許可を出力するための許可釦を操作することにより許可信号を当該燃料供給装置１６へ送信する。
【００２１】
尚、管理コンピュータ２０と燃料供給装置１６に搭載された制御回路との間は、ＳＳ−ＬＡＮ２２を介して双方向で通信可能に接続されている。
【００２２】
燃料供給装置１６は、セルフサービス給液方式の計量機（燃料供給機）２４と、計量機２４に搭載された設定器２６と、液種単価、給液量を表示する表示器２７とを有する。また、計量機２４は、筐体２８の前面及び背面に設定器２６が一体的に設けられており、さらに給液ノズル（燃料供給部）３０が保持されるノズル掛け（保持部）３２が設けられている。
【００２３】
本実施例では、計量機２４の片面に夫々３系統の給液系統が設けられており、例えば、軽油、ハイオクガソリン、レギュラーガソリンの３種類の燃料を選択的に給液することが可能な構成になっている。
【００２４】
また、各給液ノズル３０には、燃料が供給される給液ホース３４が接続されており、給液ホース３４は筐体２８の上部に設けられたホース支持部３５から吊下されている。
【００２５】
各給液ホース３４は筐体２８の内部に配置された給液管路（図示せず）に連通されており、各給液管路には流量計、電磁弁、給液ポンプなどの機器が設けられている。
【００２６】
図２は燃料供給装置１６の各機器の構成を示すブロック図である。図２に示されるように、燃料供給装置１６の制御回路３６には、各給液管路に設けられた電磁弁３８、給液ポンプ４０、流量計４２、メモリ４４、人検出センサ（人検出器）４６、インタホン４８、ノズル掛け３２に設けられたノズルスイッチ（検出手段）５０、静電気除去検出スイッチ５４、設定器２６、伝票を発行する伝票発行機５８、音声案内を行うスピーカ（報知手段）６０と接続されている。
【００２７】
さらに、制御回路３６には、静電気除去ランプ５２、伝票発行ランプ５６、液種選択釦６４〜６６、満タン選択釦６８、プリセット給液量選択釦７０〜７３、プリセット給液金額量選択釦７６〜７９が接続されている。また、液種選択釦６４〜６６、満タン選択釦６８、プリセット給液量設定釦７０〜７３、プリセット給液金額設定釦７６〜７９は、内部に電球（図示せず）を内蔵しており、制御回路３６からの指示に基づきこれら各釦それぞれの電球が消灯・点滅（間欠的な点灯）・点灯状態となる。なお、本実施の形態においては、電球が点滅している状態において釦の操作待ち状態であることを、また、電球が点灯状態の場合は釦が指定操作されたことを示している。
【００２８】
そして、制御回路３６は、操作者の入力操作に応じて次に行う操作に対応するランプを点灯または点滅させると共に、スピーカ６０から操作手順を案内する音声案内を発声させる。
【００２９】
また、メモリ４４には、各種データと制御回路３６が実行する制御プログラムが格納されており、例えば、給液開始前にノズルスイッチ５０によってノズル掛け３２から給液ノズル３０が外されたことが検出された後、流量を計測していないにもかかわらず、ノズル掛け３２から給液ノズル３０が外されたことをノズルスイッチ５０が検出された場合には、人検出センサ４６が人を検出した際に報知される操作案内よりも後の操作案内を報知する制御プログラム（報知制御手段）が格納されている。
【００３０】
ここで、図３を参照して設定器２６に設けられた各操作部の配置及び操作手順について説明する。図３に示されるように、設定器２６には、人検出センサ４６、静電気除去シート６２、静電気除去ランプ５２、インタホン４８、液種選択釦６４〜６６、満タン選択釦６８、プリセット給液量設定釦７０〜７３、プリセット給液金額設定釦７６〜７９、スピーカ６０、伝票発行機５８、伝票発行ランプ５６、が設けられている。
【００３１】
また、設定器２６には、左側から操作手順の順番に静電気除去、設定、給液、精算を行うように各操作部が設けられており、顧客（操作者）は設定器２６に記載された手順及びスピーカ６０からの音声案内に応じて操作する。
【００３２】
人検出センサ４６は、赤外線センサあるいは超音波センサ等からなり、設定器２６の前に人が立つと、人からの反射波を検知して人検出信号を制御回路３６に出力する。
【００３３】
制御回路３６は、人検出信号の入来により音声案内をスタートさせると共に静電気除去ランプ５２を点滅させる。顧客（操作者）が静電気除去シート６２に触れると、静電気除去検出スイッチ５４がオンになり、静電気除去ランプ５２を消灯させる。
【００３４】
続いて、顧客（操作者）は、液種選択釦６４〜６６の何れかを押圧操作して液種設定を行う。そして、満タン選択釦６８、プリセット給液量設定釦７０〜７３、プリセット給液金額設定釦７６〜７９の何れかを押圧操作して給液モードを設定する。
【００３５】
この後、顧客（操作者）は、給液ノズル３０をノズル掛け３２から外して車両の給液口（図示せず）に挿入して、ノズルスイッチ５０がオフになると、給液ポンプ４０が起動される。そして、顧客（操作者）がノズルレバーを開弁方向に操作することにより給液が開始される。その後、給液が終了して給液ノズル３０をノズル掛け３２に戻すと、ノズルスイッチ５０がオンになって給液ポンプ４０が停止されると共に伝票発行機５８から伝票が発行される。
【００３６】
図４は操作手順、各ランプの作動、音声案内の報知例を説明するための図である。図４に示されるように、顧客が計量機２４の前に到着していない状態では、制御回路３６が待機状態であり、何ら表示も音声案内も行わない。
【００３７】
（手順１）次に、顧客（操作者）が計量機２４の前に到着して人検出センサ４６から人検出信号が出力されると、静電気除去ランプ５２を点滅させると共に、スピーカ６０から例えば、「いらっしゃいませ。静電気除去シートに触れて下さい」といったアナウンスを発声させる。
【００３８】
（手順２）顧客（操作者）が静電気除去シート６２に触れると、静電気除去シート６２の裏面に設けられた検出スイッチ（図示せず）がオンになり、静電気除去検出信号が出力される。これにより、制御回路３６は、静電気除去ランプ５２を消灯させるとともに液種選択釦６４〜６６を全て点滅させる。そして、スピーカ６０から例えば、「液種を選んで下さい」といったアナウンスを発声させる。
【００３９】
（手順３）次に液種選択釦６４〜６６の何れかがオンに操作されて液種設定が行われると、液種選択釦６４〜６６のうち選択されたものだけ点灯させると共に、満タン選択釦６８、プリセット給液量設定釦７０〜７３、プリセット給液金額設定釦７６〜７９を点滅させる。そして、スピーカ６０から例えば、「給液量を選んで下さい」といったアナウンスを発声させる。
【００４０】
（手順４）満タン選択釦６８、プリセット給液量設定釦７０〜７３、プリセット給液金額設定釦７６〜７９の何れかがオンに操作されると、当該オン操作された釦を点灯状態に切り替えると共に、スピーカ６０から例えば、「レギュラー定量給液を設定しました。給液キャップを開けて下さい。ノズルを給液口に入れて下さい」といったアナウンスを発声させる。
【００４１】
（手順５）顧客（操作者）が給液ノズル３０をノズル掛け３２から外して車両の給液口（図示せず）に挿入して、ノズルスイッチ５０がオフになると、設定された液種、給液量の設定釦を点灯させる状態を維持する。尚、満タン選択釦６８、プリセット給液量設定釦７０〜７３、プリセット給液金額設定釦７６〜７９のうち設定操作された釦は、点灯状態を維持する。
【００４２】
（手順６）ノズルスイッチ５０がオフにより、管理コンピュータ２０に対して給液要求信号が出力される。これに対して、係員が燃料供給装置１６付近で異常がないことを確認して給液許可釦（図示せず）をオンに操作することで、当該燃料供給装置１６に給液許可信号が送信される。そして、スピーカ６０から例えば、「ピンポーン、ノズルのレバーを引いて給液口に燃料を入れて下さい」といったアナウンスを発声させる。尚、満タン選択釦６８、プリセット給液量設定釦７０〜７３、プリセット給液金額設定釦７６〜７９のうち設定操作された釦は、点灯状態を維持する。
【００４３】
（手順７）顧客（操作者）が給液ノズル３０のノズルレバーを引くと、車両の燃料タンクへ給液が開始される。給液開始と共に、流量計４２により計測された燃料の供給量を表示器２７に表示させる。尚、満タン選択釦６８、プリセット給液量設定釦７０〜７３、プリセット給液金額設定釦７６〜７９のうち設定操作された釦は、点灯状態を維持する。
【００４４】
（手順８）積算された供給量が目標量（プリセット量）に達したとき、スピーカ６０から例えば、「給液が終了しました。ノズルを戻して下さい」といったアナウンスを発声させる。尚、満タン選択釦６８、プリセット給液量設定釦７０〜７３、プリセット給液金額設定釦７６〜７９のうち設定操作された釦は、点灯状態を維持する。
【００４５】
（手順９）給液が終了してノズルスイッチ５０がオンになると、これまで点灯していた釦の液種ランプ及び給液量ランプを消灯させると共に、精算ランプ８４を点滅させる。そして、スピーカ６０から例えば、「給液キャップを閉めて下さい。レシート（伝票）を持って精算所へお越し下さい」といったアナウンスを発声させる。
【００４６】
顧客（操作者）は、音声案内にしたがって給液ノズル３０をノズル掛け３２に戻し、給液キャップを給液口に装着して閉める。これにより、ノズルスイッチ５０がオンになって給液ポンプ４０が停止されると共に、伝票発行機５８から伝票が発行される。そして、顧客（操作者）は、伝票を受け取って事務所内の精算所に移動して給液料金を支払う。
【００４７】
ここで、制御回路３６が実行する制御処理について図５を参照して説明する。図５に示されるように、制御回路３６は、ステップＳ１１（以下「ステップ」を省略する）で人検出センサ４６から人検出信号が出力されたかどうかをチェックする。Ｓ１１で人検出センサ４６から人検出信号が出力されると、Ｓ１２に進み、静電気除去ランプ５２を点滅させる。続いて、Ｓ１３に進み、スピーカ６０から例えば、「いらっしゃいませ。静電気除去シートに触れて下さい」といったアナウンスを発声させる。
【００４８】
次のＳ１４では、静電気除去シート６２の裏面に設けられた検出スイッチ（図示せず）がオンかどうかをチェックする。Ｓ１４で、顧客が静電気除去シート６２に接触すると、静電気除去シート６２の裏面に設けられた検出スイッチ（図示せず）がオンになり、静電気除去検出信号が出力される。尚、上記Ｓ１４では、検出スイッチにより顧客が静電気除去シート６２に触れたことを検出したが、上記検出スイッチを設ける代わりに、Ｓ１３で音声案内を行った後に所定時間経過するのを待つことで、その間に顧客が静電気除去シート６２に触れたものとするようにしても良い。
【００４９】
次のＳ１５では、給液前設定情報入力指示ランプとしての液種選択釦６４〜６６を点滅させる。続いて、Ｓ１６に進み、スピーカ６０から例えば、「液種を選んで下さい」といったアナウンスを発声させる。
【００５０】
次のＳ１７では、液種選択釦６４〜６６の何れかがオンに押圧操作されて液種情報が入力されたかどうかをチェックする。そして、Ｓ１７で液種選択釦６４〜６６の何れかがオンに押圧操作されて給液すべき液種が指定されると、Ｓ１８に進み、液種選択釦６４〜６６のうち押圧操作された液種選択釦に内蔵された電球を点灯させる。
【００５１】
次のＳ１９では、満タン選択釦６８、プリセット給液量設定釦７０〜７３、プリセット給液金額設定釦７６〜７９を点滅させる。続いて、Ｓ２０に進み、スピーカ６０から例えば、「給液量を選んで下さい」といったアナウンスを発声させる。
【００５２】
Ｓ２１では、給液量が選択されたかどうかをチェックする。Ｓ２１において、満タン選択釦６８、プリセット給液量設定釦７０〜７３、プリセット給液金額設定釦７６〜７９の何れかがオンに操作された場合は、Ｓ２２に進み、設定された給液量設定情報（油種・給液量など）をメモリ４４に記憶させる。
【００５３】
続いて、Ｓ２３では、前述のＳ１７で指定された液種選択釦とＳ２１で指定された釦ランプを点灯させる。そして、Ｓ２４に進み、スピーカ６０から例えば、「液種・給液量を設定しました。給液キャップを開けて下さい。ノズルを給液口に入れて下さい」といったアナウンスを発声させる。
【００５４】
そして、Ｓ２５では、ノズル外れ信号が入力（ノズルスイッチ５０がオフ）されたかどうかをチェックする。Ｓ２５において、ノズル外れ信号が入力（ノズルスイッチ５０がオフ）されると、給液ノズル３０がノズル掛け３２から外されたものと判断してＳ２６に進む。
【００５５】
Ｓ２６では、管理コンピュータ２０に対して給液要求信号を出力する。次のＳ２７では、給液許可信号が管理コンピュータ２０から入力されたかどうかをチェックする。Ｓ２７で給液許可信号が入力された場合、Ｓ２８に進み、スピーカ６０から例えば、「ノズルのレバーを引いて給液口に燃料を入れて下さい」といったアナウンスを発声させる。
【００５６】
次のＳ２９では、流量計４２からの流量パルスが入力されているかどうかをチェックする。Ｓ２９で流量計４２からの流量パルスが入力されているときは、Ｓ３０に移行して、ノズル外れ信号が入力（ノズルスイッチ５０がオフ）されたかどうかをチェックする。
【００５７】
Ｓ３０において、ノズル外れ信号の入力がある（ノズルスイッチ５０がオフ）場合には、給液が継続しているものと判断して上記Ｓ２９に戻る。また、Ｓ３０において、ノズル外れ信号の入力がない（ノズルスイッチ５０がオン）場合には、給液開始前に給液ノズル３０がノズル掛け３２に戻されたものと判断してＳ３１に進み、全ランプを消灯させる。続いて、Ｓ３２に進み、給液設定情報の記憶を抹消する。この後、前述したＳ１５に戻り、Ｓ１５以降の処理を繰り返す。
【００５８】
そのため、操作者が給液開始前に給液ノズル３０をノズル掛け３２から外した後に何らかの理由により給液ノズル３０をノズル掛け３２に戻した場合、給液操作を中断したものと判断してＳ１５に戻るため、Ｓ１５以前の操作（本実施例では、静電気除去シート６２に触れる）が省略される。よって、同じ操作者が給液開始前に給液ノズル３０をノズル掛け３２に戻してしまった場合でも、給液前の事前操作（本実施例では、静電気除去シート６２に触れる）を再度行わないようにして操作者への負担を軽減しうる。
【００５９】
このように、給液開始前に設定情報がリセットされた場合でも初期状態に戻るのではなく、人を検出した際に報知される操作案内よりも後の操作案内を報知するので、給液開始前に行なわれた作業を再度行なわなくてはならなくなるような操作案内をすることがなく、よって、給液作業者は給油前の作業を迅速に行なうことができる。
【００６０】
また、Ｓ２９において、流量計４２からの流量パルスが入力されているときは、Ｓ３３に移行して、流量パルスを積算して給液量を演算する。続いて、Ｓ３４では、指定された給液量に達したかどうかをチェックする。
【００６１】
Ｓ３４において、指定された給液量に達していないときは、Ｓ３５に進み、ノズル外れ信号が入力（ノズルスイッチ５０がオフ）されたかどうかをチェックする。
【００６２】
Ｓ３０において、ノズル外れ信号の入力がある（ノズルスイッチ５０がオフ）場合には、給液が継続しているものと判断して上記Ｓ３４に戻る。また、Ｓ３０で、ノズル外れ信号の入力がない場合（ノズルスイッチ５０がオン）には、後述するＳ３８に移行する。
【００６３】
また、Ｓ３４において、指定された給液量に達したときは、Ｓ３６に進み、給液ポンプ４０を停止させると共に、スピーカ６０から例えば、「給液が終了しました。ノズルを戻して下さい。」といったアナウンスを発声させる。そして、Ｓ３７では、ノズル外れ信号が入力（ノズルスイッチ５０がオフ）されたかどうかをチェックする。
【００６４】
Ｓ３７において、ノズル外れ信号の入力がない場合（ノズルスイッチ５０がオン）には、Ｓ３８に進み、全ランプを消灯させる。次のＳ３９では、伝票発行ランプ５６を点滅させる。続いて、Ｓ４０に進み、給液情報（計量機番号、液種、給液量、給液金額など）を印字した伝票を伝票発行機５８から発行させる。
【００６５】
次のＳ４１では、スピーカ６０から例えば、「給液キャップを閉めて下さい。レシート（伝票）を持って精算所で精算して下さい」といったアナウンスを発声させる。続いて、Ｓ４２に進み、予め設定された所定時間（例えば、３０秒程度）が経過したかどうかをチェックする。
【００６６】
また、Ｓ４２において、所定時間が経過する間にＳ４１で指示した音声案内がスピーカ６０から発声し終わるまでの時間経過を待っており、音声案内が中断されて終了されることを防止する。また、Ｓ４２において、所定時間が経過すると、音声案内が全て発声されているので、今回の処理を終了させる。
【００６７】
ここで、制御回路３６が実行する制御処理の変形例について図６を参照して説明する。尚、図６に示す制御処理において、上記図５に示す制御処理と同一処理には、同一符号を付してその説明を省略する。
【００６８】
図６に示されるように、制御回路３６は、Ｓ３０において、ノズル外れ信号の入力がない（ノズルスイッチ５０がオン）場合には、給液開始前に給液ノズル３０がノズル掛け３２に戻されたものと判断してＳ３１に進み、全ランプを消灯させる。続いて、Ｓ２３に移行して、前述のＳ２２において記憶した給油設定情報に基づき、Ｓ１７およびＳ２１において指定された液種・給液量指定ランプを点灯させる。そして、Ｓ２４に進み、スピーカ６０から例えば、「液種・給液量を設定しました。給液キャップを開けて下さい。ノズルを給液口に入れて下さい」といったアナウンスを発声させる。
【００６９】
このように、変形例では、操作者が給液開始前に給液ノズル３０をノズル掛け３２から外した後に何らかの理由により給液ノズル３０をノズル掛け３２に戻した場合、給液操作を中断したものと判断してＳ２３に戻るため、Ｓ２３以前の操作（本実施例では、静電気除去シート６２に触れる、液種及び給液量の設定操作）が省略される。よって、同じ操作者が給液開始前に給液ノズル３０をノズル掛け３２に戻してしまった場合でも、給液開始前に設定した給液情報がキャンセルされることを防止すると共に、給液前の事前操作（本実施例では、静電気除去シート６２に触れる、液種及び給液量の設定操作）を再度行わないようにして操作者への負担を軽減しうる。
【００７０】
従って、変形例では、給液開始前に行なう設定情報の入力操作を再度設定することが不要となるとともに、燃料情報が指定された際に報知される操作案内よりも後の操作案内がされるので、設定操作のやり直し操作を減らすことが可能になるとともに的確な操作案内をすることができる。
【産業上の利用可能性】
【００７１】
尚、上記実施の形態では、操作者が給液開始前に給液ノズル３０をノズル掛け３２から外した後に何らかの理由により給液ノズル３０をノズル掛け３２に戻した場合、Ｓ１５あるいはＳ２３の処理に戻る場合を一例として示したが、これに限らず、Ｓ１２以降の任意の処理に戻るようにすることも可能である。例えば、Ｓ２３，Ｓ２４も省略してＳ２５の処理に戻るようにするようにしても良いし、あるいはＳ２８の処理に戻るようにして良い。
【００７２】
また、上記実施の形態では、操作者に対してスピーカ６０からの音声案内により操作手順を報知するように構成されたものを一例として挙げたが、これに限らず、音声案内と共に、モニタ等に文字を表示させる方法を報知手段として用いることも可能である。
【００７３】
また、上記実施の形態では、地上設置型の計量機に取り付けられた構成を一例として挙げたが、これに限らず、懸垂式の給液装置にも適用できるのは勿論である。
【００７４】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００７５】
また、上記実施の形態では、ＰＯＳ無しでの商品管理を行っているが、ＰＯＳでの給液システムで実施することも可能である。
【図面の簡単な説明】
【００７６】
【図１】本発明による燃料供給装置が適用された燃料供給システムの一実施例の構成図である。
【図２】燃料供給装置１６の各機器の構成を示すブロック図である。
【図３】設定器２６に設けられた各操作部の配置及び操作手順について説明するための図である。
【図４】操作手順、各ランプの作動、音声案内の報知例を説明するための図である。
【図５】制御回路３６が実行する制御処理のフローチャートである。
【図６】制御回路３６が実行する制御処理の変形例のフローチャートである。
【符号の説明】
【００７７】
１０  給液システム
１６  燃料供給装置
２０  管理コンピュータ
２４  計量機
２６  設定器
３０  給液ノズル
３２  ノズル掛け
４２  流量計
４４  メモリ
４６  人検出センサ
５０  ノズルスイッチ
５８  伝票発行機
６０  スピーカ
６４〜６６  液種選択釦
６８  満タン選択釦
７０〜７３  プリセット給液量設定釦
７６〜７９  プリセット給液金額設定釦
【図１】
2006131308.tif 000003
【図２】
2006131308.tif 000004
【図３】
2006131308.tif 000005
【図４】
2006131308.tif 000006
【図５】
2006131308.tif 000007
【図６】
2006131308.tif 000008